(57)【要約】【課題】高周波の出力特性の調整を容易にする。【解決手段】高周波分波器のアンテナ３００は、軸方向の一端部が開口した有底円筒形状のアンテナ本体３２０と、アンテナ本体３２０の内部に収納され、アンテナ本体３２０の周面に形成されたスリット３２４から外方へと突出する突出部３４２を有するばね３４０と、を含む。そして、アンテナ本体３２０の開口に工具５００を嵌合すると、ばね３４０が撓んで突出部３４２がアンテナ本体３２０に引っ込む。従って、アンテナ本体３２０の開口に工具５００が嵌合していないときには、ばね３４０の突出部３４２が高周波分波器の取付孔などに付勢されているため、アンテナ３００の突出量を調整するごとに固定ナットを緩めたり締め付けたりしなくとも、その位置を保持することができる。【選択図】図１３
2015220536.tif 000002
【特許請求の範囲】
【請求項１】
軸方向の一端部が開口した有底円筒形状のアンテナ本体と、
前記アンテナ本体の内部に収納され、当該アンテナ本体の周面に形成されたスリットから外方へと突出する突出部を有するばねと、
を含み、
前記アンテナ本体の開口に工具を嵌合したときに、前記ばねが撓んで前記突出部が前記アンテナ本体に引っ込む、
ことを特徴とする高周波数用電子部品。
【請求項２】
前記ばねは、板材又は線材を２つに折り曲げたヘアピン形状をなし、中間部にハット形状の突出部を有する、
ことを特徴とする請求項１に記載の高周波数用電子部品。
【請求項３】
取付プレートに、請求項１又は請求項２に記載の高周波数用電子部品が複数取り付けられたことを特徴とする通信装置。
【請求項４】
取付プレートに、請求項１又は請求項２に記載の高周波数用電子部品を複数取り付けた通信装置において、
前記アンテナ本体の開口に工具を嵌合することで、前記ばねを撓ませて前記突出部を前記アンテナ本体に格納し、
前記工具により前記取付プレートに対する前記アンテナ本体の突出量を調整し、
前記アンテナ本体から前記工具を取り外すことで、前記ばねの前記突出部を突出させて、前記プレートに対する前記アンテナ本体の位置を固定する、
ことを特徴とする通信装置製造方法。
【発明の詳細な説明】
【技術分野】
【０００１】
本発明は、高周波数用電子部品、通信装置及び通信装置製造方法に関する。
【背景技術】
【０００２】
無線のネットワーク基地局では、異なる周波数の信号が重畳した電波を受信し、この電波から所定の周波数の信号を分波して出力する高周波分波器が使用されている。高周波分波器は、例えば、略直方体形状をなす本体と、本体の一面に基端部が螺合される複数のアンテナと、本体に対するアンテナの位置を固定する固定ナットと、を含む。そして、高周波分波器の製造工程においては、作業者が、出力値をモニタしながらドライバでアンテナの突出量を調整し、高周波の出力特性を調整している。このとき、他のアンテナの調整中に調整済のアンテナが動かないようにすべく、作業者は、レンチで固定ナットを締め付けて調整済のアンテナを固定している。
【先行技術文献】
【特許文献】
【０００３】
【特許文献１】特表平９−５０８８７２号公報
【発明の概要】
【発明が解決しようとする課題】
【０００４】
しかしながら、高周波分波器においては、複数のアンテナで高周波の出力特性を規定しているため、一度調整したアンテナの突出量を再度調整することも多い。この場合、固定ナットを緩めたり締め付けたりする作業が増え、高周波の出力特性の調整作業が煩雑化してしまう。
【０００５】
そこで、本発明は、高周波の出力特性の調整を容易ならしめた、高周波数用電子部品、通信装置及び通信装置製造方法を提供することを目的とする。
【課題を解決するための手段】
【０００６】
高周波数用電子部品は、軸方向の一端部が開口した有底円筒形状のアンテナ本体と、アンテナ本体の内部に収納され、アンテナ本体の周面に形成されたスリットから外方へと突出する突出部を有するばねと、を含む。そして、アンテナ本体の開口に工具を嵌合すると、ばねが撓んで突出部がアンテナ本体に引っ込む。
【０００７】
通信装置は、取付プレートに前記高周波数用電子部品が複数取り付けられる。また、通信装置を製造する場合には、アンテナ本体の開口に工具を嵌合することで、ばねを撓ませて突出部をアンテナ本体に格納し、工具により取付プレートに対するアンテナ本体の突出量を調整する。そして、アンテナ本体から工具を取り外すことで、ばねの突出部を突出させて、取付プレートに対するアンテナ本体の位置を固定する。
【発明の効果】
【０００８】
本発明によれば、高周波の出力特性の調整を容易ならしめることができる。
【図面の簡単な説明】
【０００９】
【図１】高周波分波器の一例を示す斜視図である。
【図２】アンテナの一例を示す斜視図である。
【図３】アンテナの一例を示す縦断面図である。
【図４】工具の一例を示す斜視図である。
【図５】工具の一例を示す縦断面図である。
【図６】スリーブを突出させる方法の説明図である。
【図７】スリーブを収納させる方法の説明図である。
【図８】スリーブの突出状態及び収納状態を示す斜視図である。
【図９】アンテナの突出量を調整する方法の一例を示す斜視図である。
【図１０】アンテナの突出量を調整する方法の一例を示し、固定ナットを緩めた状態の縦断面図である。
【図１１】アンテナの突出量を調整する方法の一例を示し、アンテナに工具を嵌合させた状態の縦断面図である。
【図１２】アンテナの突出量を調整する方法の一例を示し、工具からスリーブを突出させた状態の縦断面図である。
【図１３】工具のスリーブの突出状態又は収納状態の一例を示す斜視図である。
【図１４】アンテナの突出量を調整する方法の一例を示し、工具のスリーブを収納させた状態の説明図である。
【発明を実施するための形態】
【００１０】
以下、添付された図面を参照し、本発明を実施するための実施形態について詳述する。
図１は、無線のネットワーク基地局において、異なる周波数の信号が重畳した電波を受信し、この電波から所定の周波数の信号を分波して出力する高周波分波器１００の一例を示す。ここで、高周波分波器１００は、通信装置の一例として挙げられる。
【００１１】
高周波分波器１００は、直方体形状をなす分波器本体２００と、分波器本体２００の一面に取り付けられる複数のアンテナ３００と、分波器本体２００に対するアンテナ３００の位置を固定する固定ナット４００と、を含む。ここで、直方体とは、完全な直方体に限らず、見た目で直方体であると認識できる程度でよい（以下、他の形状でも同様）。また、アンテナ３００は、高周波数用電子部品の一例として挙げられる。
【００１２】
分波器本体２００は、直方体形状の内部空間を有する箱形部材であって、その一面がアンテナ３００を取り付ける取付プレートとして機能する。分波器本体２００の一面には、例えば、高周波の出力特性に応じたパターンをもって、アンテナ３００の基端部を螺合する雌螺子（図示せず）が複数形成されている。
【００１３】
アンテナ３００は、図２及び図３に示すように、軸方向の一端部が開口した有底円筒形状のアンテナ本体３２０と、アンテナ本体３２０の内部に収納されるばね３４０と、を含んでいる。
【００１４】
アンテナ本体３２０は、一端部が大径の段付形状をなし、その小径部３２０Ａの外周面に、分波器本体２００の雌螺子に螺合可能な雄螺子（図示せず）が形成されている。アンテナ本体３２０の大径部３２０Ｂの一端面、要するに、開口がある一端面には、その中心軸と同心に、後述する工具５００が着脱可能に嵌合する、例えば、六角形状の工具嵌合孔３２２が形成されている。また、アンテナ本体３２０の小径部３２０Ａの周壁であって、その中心軸を挟んで対面する２位置には、小径部３２０Ａの外周面と内周面とを連通するように、軸方向に長辺が延びる四角形状のスリット３２４が夫々形成されている。
【００１５】
ばね３４０は、長尺形状の板材を２つに折り曲げたヘアピン形状をなし、その二股部分の中間部に外方へと突出するハット形状の突出部３４２が形成されている。そして、ばね３４０は、その折り曲げ部分がアンテナ本体３２０の奥部側に位置するように、アンテナ本体３２０の内部に収納される。ばね３４０がアンテナ本体３２０の内部に収納された状態では、ばね３４０の二股部分に形成された突出部３４２がアンテナ本体３２０のスリット３２４から外方へと突出する。アンテナ本体３２０のスリット３２４から外方へと突出した突出部３４２は、ばね３４０の基本的な機能により、図３の矢印で示すように、アンテナ本体３２０の外方へと常時付勢されている。また、ばね３４０の二股部分の先端部（自由端部）は、アンテナ本体３２０の内部に収納された状態において、開口の内径よりも窄まっている。なお、ばね３４０は、板材に限らず、線材を折り曲げて形成することもできる。
【００１６】
アンテナ本体３２０の小径部３２０Ａの外周面には、分波器本体２００に対するアンテナ３００の位置を固定する固定ナット４００が螺合されている。固定ナット４００は、アンテナ本体３２０の小径部３２０Ａから取り外し可能であってもよく、また、これがなくてもよい。
【００１７】
アンテナ３００の突出量を調整する工具５００は、図４及び図５に示すように、軸方向の一端部が開口した有底円筒形状の工具本体５２０と、アンテナ３００の工具嵌合孔３２２と着脱可能に嵌合する六角レンチ５４０と、アンテナ３００のばね３４０を撓ませるスリーブ５６０と、を含んでいる。
【００１８】
工具本体５２０は、作業者が把持する把持部として機能する。工具本体５２０の内部に形成されたシリンダ５２０Ａには、その軸方向に移動可能な円柱形状のピストン５２２が嵌挿されている。ピストン５２２の基端部は、工具本体５２０の開口から外方に突出し、作業者が工具本体５２０の奥部に向けて押し込み可能となっている。ピストン５２２は、例えば、合成樹脂など弾性を有する素材からなり、内部に円柱形状の空洞５２２Ａを有している。ピストン５２２の周壁であって、空洞５２２Ａが内部に形成されている部分には、シリンダ５２０Ａの奥部からその反対側へと延びるコ字形状の切れ目で区画される、薄板形状の可撓部５２２Ｂが形成されている。ここで、可撓部５２２Ｂの先端部（自由端部）は、工具本体５２０の開口側に位置している。可撓部５２２Ｂの先端部には、外方へと突出する直方体形状の係止部５２２Ｃが一体形成されている。また、可撓部５２２Ｂの中間部には、作業者が可撓部５２２Ｂを内方に撓ませるときに押圧する、外方へと突出する直方体形状の押圧部５２２Ｄが一体形成されている。
【００１９】
工具本体５２０の先端部、即ち、開口とは反対側の一端部には、これと同心で軸方向に延びるように、六角レンチ５４０が固定されている。六角レンチ５４０の外形は、アンテナ３００の工具嵌合孔３２２に着脱可能な形状を有している。工具本体５２０に対する六角レンチ５４０の固定は、例えば、圧入、ピンなどで行うことができる。そして、工具本体５２０及び六角レンチ５４０には、その底面の中心から六角レンチ５４０の先端部へと貫通する、所定の内径を有する貫通孔５２４が形成されている。
【００２０】
スリーブ５６０は、貫通孔５２４に移動可能に挿通される軸部５６０Ａと、軸部５６０Ａの先端部に一体化された円筒部５６０Ｂと、軸部５６０Ａの基端部に一体化された円板部５６０Ｃと、を含む。軸部５６０Ａは、図５に示すように、ピストン５２２を工具本体５２０の奥部に移動させたときに、六角レンチ５４０の先端部から軸部５６０Ａが所定寸法突出する長さを有している。円筒部５６０Ｂは、アンテナ３００に収納されたばね３４０の二股部分の先端部を囲繞し、ばね３４０の二股部分を相互に近づけて窄める寸法を有している。また、円板部５６０Ｃは、ピストン５２２と略同一の外径を有し、ピストン５２２の先端部に対して、例えば、接着剤などの固着手段を介して固定されている。
【００２１】
工具本体５２０の内部底面とスリーブ５６０の円板部５６０Ｃとの間には、スリーブ５６０を工具本体５２０の開口側に向けて付勢する、弾性部材としての圧縮コイルばね５８０が配設されている。また、工具本体５２０の周壁であって、ピストン５２２の可撓部５２２Ｂに対向する位置には、その内周面と外周面とを連通する、軸方向に長辺が延びる四角孔５２０Ｂが形成されている。四角孔５２０Ｂは、可撓部５２２Ｂの係止部５２２Ｃ及び押圧部５２２Ｄが嵌合可能な幅を有し、スリーブ５６０が六角レンチ５４０から所定寸法突出した位置において、係止部５２２Ｃが工具本体５２０の四角孔５２０Ｂに係止する位置に形成されている。
【００２２】
かかる工具５００において、スリーブ５６０を突出させる場合には、図６に示すように、工具本体５２０から外方へと突出するピストン５２２の基端部を押し込むと、圧縮コイルばね５８０の付勢力に抗して、ピストン５２２が工具本体５２０の奥部に向けて移動する。このとき、ピストン５２２の移動に連動して、ピストン５２２と一体化されたスリーブ５６０も六角レンチ５４０の先端部の方向に移動する。そして、スリーブ５６０が六角レンチ５４０から所定寸法突出する位置まで、ピストン５２２が移動すると、図５に示すように、可撓部５２２Ｂの係止部５２２Ｃが工具本体５２０の四角孔５２０Ｂに嵌合して係止し、スリーブ５６０を突出させた状態を保持する。
【００２３】
一方、スリーブ５６０を収納させる場合には、図７に示すように、工具本体５２０の外周面から外方へと突出している、ピストン５２２の可撓部５２２Ｂに形成された押圧部５２２Ｄを内方へと押圧する。押圧部５２２Ｄを内方へと押圧すると、可撓部５２２Ｂが内方へと円弧状に撓み、工具本体５２０の四角孔５２０Ｂから可撓部５２２Ｂの係止部５２２Ｃが外れる。すると、ピストン５２２は、圧縮コイルばね５８０の付勢力によって工具本体５２０の開口側へと移動し始め、図６に示すように、可撓部５２２Ｂの押圧部５２２Ｄが工具本体５２０の四角孔５２０Ｂに当接する位置まで移動する。このとき、ピストン５２２の移動に連動して、ピストン５２２と一体化されたスリーブ５６０も工具本体５２０の開口側へと移動し、スリーブ５６０が工具本体５２０及び六角レンチ５４０の内部に収納される。押圧部５２２Ｄが四角孔５２０Ｂに当接した状態では、圧縮コイルばね５８０がピストン５２２及びスリーブ５６０を工具本体５２０の開口側へと常時付勢しているので、その状態を保持することができる。
【００２４】
従って、図８に示すように、ピストン５２２の基端部を押し込むことで、スリーブ５６０を突出させることができ、また、可撓部５２２Ｂの押圧部５２２Ｄを押圧することで、突出したスリーブ５６０を収納させることができる。このとき、スリーブ５６０が突出又は収納した状態は、圧縮コイルばね５８０の付勢力、及び、工具本体５２０の四角孔５２０Ｂに嵌合する可撓部５２２Ｂの係止部５２２Ｃ又は押圧部５２２Ｄにより保持されるため、作業者がその状態を保持する必要がない。
【００２５】
次に、高周波分波器１００の製造方法について説明する。
高周波分波器１００の製造工程においては、作業者は、図９に示すように、分波器本体２００に複数のアンテナ３００を取り付けた後、モニタ６００で高周波数分波器１００の出力特性をモニタしながら、アンテナ３００の突出量を調整する。なお、製造工程の作業開始時点では、工具５００は、図６に示すように、スリーブ５６０が収納されているものとする。
【００２６】
［第１工程］
作業者は、図９に示すように、スパナ７００を使用して、分波器本体２００に対するアンテナ３００の位置を固定している、すべての固定ナット４００を緩める。固定ナット４００を緩めた状態では、図１０に示すように、アンテナ３００の外周面から外方にばね３４０の突出部３４２が突出しているので、これが分波器本体２００の雌螺子を付勢し、多少の外力ではアンテナ３００が動かなくなっている。ここで、ばね３４０は、アンテナ３００に多少の外力が作用しても動かない程度のばね定数を有していればよい。
【００２７】
［第２工程］
作業者は、図１１に示すように、アンテナ３００の工具嵌合孔３２２に工具５００の六角レンチ５４０を嵌合し、工具５００のピストン５２２の基端部を押し込む。すると、工具５００の先端部からスリーブ５６０が突出し、図１２に示すように、スリーブ５６０の円筒部５６０Ｂがばね３４０の二股部分の先端部を囲繞し、ばね３４０の先端部が窄まって突出部３４２をアンテナ本体３２０に格納する。そして、作業者は、モニタ６００で高周波数分波器１００の出力特性をモニタしながら、工具５００を回転させてアンテナ３００の突出量を増減して調整する。このとき、図１３に示すように、アンテナ３００の突出部３４２がアンテナ本体３２０に格納されているため、ばね３４０によるアンテナ３００の固定機能が働かず、アンテナ３００の突出量調整に支障がない。
【００２８】
［第３工程］
アンテナ３００の突出量の調整が終了したら、作業者は、工具５００の押圧部５２２Ｄを押し込み、図１４に示すように、工具５００から突出していたスリーブ５６０を収納する。すると、アンテナ３００において、ばね３４０の二股部分の先端部を囲繞していた円筒部５６０Ｂが退避し、ばね３４０の先端部が拡がって突出部３４２が外方へと突出する。そして、作業者は、アンテナ３００から工具５００を取り外し、第２工程及び第３工程を適宜繰り返して、他のアンテナ３００を調整する。ここで、アンテナ３００から工具５００を取り外すとき、ばね３４０の突出部３４２が分波器本体２００の雌螺子に向けて付勢されているので、アンテナ３００が回転することがなく、アンテナ３００の突出量が変わることを抑制できる。
【００２９】
［第４工程］
すべてのアンテナ３００の調整が完了したら、作業者は、スパナ７００を使用して、アンテナ３００に取り付けられている固定ナット４００を締め付け、アンテナ３００の位置を固定する。このとき、アンテナ３００のばね３４０の突出部３４２が分波器本体２００の雌螺子に向けて付勢されているので、スパナ７００で固定ナット４００を締め付けても、アンテナ本体３２０が回転することがなく、作業者の負荷を軽減することができる。
【００３０】
このように、高周波分波器１００の製造工程において、作業者が１つのアンテナ３００を調整するたびに固定ナット４００を緩めたり締め付けたりする必要がなく、調整作業が煩雑化することを抑制できる。また、作業者の作業が簡略化されることから、製造工数の削減を通して、コスト低減も期待できる。
【００３１】
以上の実施形態に関し、更に以下の付記を開示する。
（付記１）軸方向の一端部が開口した有底円筒形状のアンテナ本体と、前記アンテナ本体の内部に収納され、当該アンテナ本体の周面に形成されたスリットから外方へと突出する突出部を有するばねと、を含み、前記アンテナ本体の開口に工具を嵌合したときに、前記ばねが撓んで前記突出部が前記アンテナ本体に引っ込む、ことを特徴とする高周波数用電子部品。
【００３２】
（付記２）前記アンテナ本体の外周面に雄螺子が形成された、ことを特徴とする付記１に記載の高周波数用電子部品。
【００３３】
（付記３）前記アンテナ本体の雄螺子に固定ナットが螺合された、ことを特徴とする付記２に記載の高周波数用電子部品。
【００３４】
（付記４）前記ばねは、板材又は線材を２つに折り曲げたヘアピン形状をなし、中間部にハット形状の突出部を有する、ことを特徴とする付記１〜付記３のいずれか１つに記載の高周波数用電子部品。
【００３５】
（付記５）取付プレートに、付記１〜付記４のいずれか１つに記載の高周波数用電子部品が複数取り付けられたことを特徴とする通信装置。
【００３６】
（付記６）取付プレートに、付記１〜付記４のいずれか１つに記載の高周波数用電子部品を複数取り付けた通信装置において、前記アンテナ本体の開口に工具を嵌合することで、前記ばねを撓ませて前記突出部を前記アンテナ本体に格納し、前記工具により前記取付プレートに対する前記アンテナ本体の突出量を調整し、前記アンテナ本体から前記工具を取り外すことで、前記ばねの前記突出部を突出させて、前記取付プレートに対する前記アンテナ本体の位置を固定する、ことを特徴とする通信装置の製造方法。
【符号の説明】
【００３７】
１００  高周波分波器（通信装置）
２００  分波器本体（取付プレート）
３００  アンテナ
３２０  アンテナ本体
３２４  スリット
３４０  ばね
３４２  突出部
５００  工具
【図１】
2015220536.tif 000003
【図２】
2015220536.tif 000004
【図３】
2015220536.tif 000005
【図４】
2015220536.tif 000006
【図５】
2015220536.tif 000007
【図６】
2015220536.tif 000008
【図７】
2015220536.tif 000009
【図８】
2015220536.tif 000010
【図９】
2015220536.tif 000011
【図１０】
2015220536.tif 000012
【図１１】
2015220536.tif 000013
【図１２】
2015220536.tif 000014
【図１３】
2015220536.tif 000015
【図１４】
2015220536.tif 000016